(57)【要約】【課題】観察するユーザーが装着したシャッター眼鏡の応答特性に応じた時分割映像を表示することができる優れた映像表示システムを提供する。【解決手段】シャッター眼鏡は、シャッター・レンズの色成分毎の応答特性を表示装置に送信するので、表示装置側では、色成分毎の応答特性に応じて、表示映像に対して適切な色補正を行なうことができる。シャッター眼鏡装置は、バッテリーで駆動するシャッター眼鏡装置は、バッテリーの出力端子電圧だけでなく、バッテリーの特性情報も表示装置に通知するので、表示装置側では、より正確なバッテリーの残存容量の表示を行なうことができる。【選択図】  図１Ａ
2013081149.tif 000002
【特許請求の範囲】
【請求項１】
所定の色成分毎の応答特性で開閉動作するシャッター・レンズと、
表示装置と通信する通信部と、
を具備し、
前記シャッター・レンズの色成分毎の応答特性を前記通信部から前記表示装置へ送信する、
シャッター眼鏡装置。
【請求項２】
前記シャッター・レンズの色成分毎の応答特性は、各色成分の応答遅延時間を含む、
請求項１に記載のシャッター眼鏡装置。
【請求項３】
前記シャッター・レンズの色成分毎の応答特性は、各色成分の立ち上がり時間を含む、
請求項１に記載のシャッター眼鏡装置。
【請求項４】
前記シャッター・レンズの色成分毎の応答特性は、色成分毎の応答特性の相違が小さいときには、ホワイト・バランス成分についての応答特性を含む、
請求項１に記載のシャッター眼鏡装置。
【請求項５】
前記通信部は、Ｂｌｕｅｔｏｏｔｈ通信により前記表示装置と通信する、
請求項１に記載のシャッター眼鏡装置。
【請求項６】
前記シャッター・レンズの色成分毎の応答特性に関する情報を、ＤＭパケットのペイロード内の装置ベンダーに割り当てられた領域に記載して送信する、
請求項５に記載のシャッター眼鏡装置。
【請求項７】
所定の色成分毎の応答特性で開閉動作するシャッター・レンズと、表示装置と通信する通信部を備え、前記シャッター・レンズの色成分毎の応答特性を前記通信部から送信するシャッター眼鏡装置と、
複数の映像を時分割で表示し、前記シャッター眼鏡装置から受信した前記シャッター・レンズの色成分毎の応答特性に基づいて前記映像の色補正を行なう表示装置と、
を具備する映像表示システム。
【請求項８】
所定の種別に応じた充放電特性を持つバッテリーと、
前記バッテリーの出力端子電圧を検出する端子電圧検出部と、
開閉動作するシャッター・レンズと、
表示装置と通信する通信部と、
を具備し、
前記端子電圧検出部の検出値に基づく残留バッテリー電圧情報と前記バッテリーの種別に関する情報を前記通信部から前記表示装置へ送信する、
シャッター眼鏡装置。
【請求項９】
さらに前記バッテリーの充放電特性に関する情報を前記通信部から前記表示装置へ送信する、
請求項８に記載のシャッター眼鏡装置。
【請求項１０】
さらに前記バッテリーの放電の開始電圧及び終止電圧に関する情報を前記通信部から前記表示装置へ送信する、
請求項８に記載のシャッター眼鏡装置。
【請求項１１】
前記通信部は、Ｂｌｕｅｔｏｏｔｈ通信により前記表示装置と通信する、
請求項８に記載のシャッター眼鏡装置。
【請求項１２】
前記のバッテリーに関する情報を、ＤＭパケットのペイロード内の装置ベンダーに割り当てられた領域に記載して送信する、
請求項１１に記載のシャッター眼鏡装置。
【請求項１３】
所定の種別に応じた充放電特性を持つバッテリーと、前記バッテリーの出力端子電圧を検出する端子電圧検出部と、開閉動作するシャッター・レンズと、表示装置と通信する通信部を備え、前記端子電圧検出部の検出値に基づく残留バッテリー電圧情報と前記バッテリーの種別に関する情報を前記通信部から前記表示装置へ送信するシャッター眼鏡装置と、
複数の映像を時分割で表示するとともに、前記シャッター眼鏡装置から受信した情報に基づいて前記バッテリーの残存容量に関する情報を表示する表示装置と、
を具備する映像表示システム。
【請求項１４】
前記表示装置は、
バッテリーの種別毎の充電開始電圧及び充電終止電圧に関する情報を保持する記憶部をさらに備え、
前記シャッター眼鏡装置から受信した前記バッテリーの種別に該当する充電開始電圧及び充電終止電圧を前記記憶部から読み出し、受信したに基づく残留バッテリー電圧情報を用いて計算した前記バッテリーの残時間を表示する、
請求項１３に記載の映像表示システム。
【請求項１５】
１以上のシャッター動作フレーム周波数に対応して開閉動作するシャッター・レンズと、
表示装置と通信する通信部と、
を具備し、
前記対応するシャッター動作フレーム周波数の情報を前記通信部から前記表示装置へ送信する、
シャッター眼鏡装置。
【請求項１６】
前記通信部は、Ｂｌｕｅｔｏｏｔｈ通信により前記表示装置と通信する、
請求項１５に記載のシャッター眼鏡装置。
【請求項１７】
前記対応するシャッター動作フレーム周波数の情報を、ＤＭパケットのペイロード内の装置ベンダーに割り当てられた領域に記載して送信する、
請求項１６に記載のシャッター眼鏡装置。
【請求項１８】
１以上のシャッター動作フレーム周波数に対応して開閉動作するシャッター・レンズと、表示装置と通信する通信部を具備し、前記対応するシャッター動作フレーム周波数の情報を前記通信部から前記表示装置へ送信するシャッター眼鏡装置と、
複数の映像を時分割で表示し、前記シャッター眼鏡装置から受信したシャッター動作フレーム周波数の情報に基づいて前記時分割で表示する映像の駆動フレーム周波数を設定する表示装置と、
を具備する映像表示システム。
【請求項１９】
複数のシャッター眼鏡装置が存在し、
前記表示装置は、前記複数のシャッター眼鏡装置に共通する最大のシャッター動作フレーム周波数に基づいて、前記時分割で表示する映像の駆動フレーム周波数を設定する、
請求項１８に記載の映像表示システム。
【請求項２０】
所定のインターフェース経由で前記表示装置に接続され、前記時分割で表示する映像を再生して前記表示装置に供給する映像再生装置をさらに備える、
請求項１８に記載の映像表示システム。
【請求項２１】
前記映像再生装置は、所定フレーム周波数の映像を再生し、
前記表示装置は、前記シャッター眼鏡装置から受信したシャッター動作フレーム周波数の情報に基づいて、前記映像再生装置における再生映像の周波数変換処理を前記所定のインターフェースにより制御する、
請求項２０に記載の映像表示システム。
【発明の詳細な説明】
【技術分野】
【０００１】
本明細書で開示する技術は、左眼用映像及び右眼用映像を時分割で交互に表示される画面を観察する際に用いられるシャッター眼鏡装置、並びに、左眼用映像及び右眼用映像を時分割で交互に表示する表示装置と、映像の観察者がかけるシャッター眼鏡の組み合わせからなる映像表示システムに関する。
【背景技術】
【０００２】
左右の眼に視差のある映像を表示することで、観察者に３次元的に見える３次元視映像を提示することができる。例えば、時分割３次元視画像映像システムは、互いに異なる複数の映像を時分割で表示する表示装置と、映像の観察者がかけるシャッター眼鏡の組み合わせからなる（例えば、特許文献１〜３を参照のこと）。表示装置は、左眼用映像及び右眼用映像を時分割で交互に表示し、一方のシャッター眼鏡は、表示装置の表示切り換えに同期して左右のシャッター機構の開閉動作により映像選択を行なう。この結果、シャッター眼鏡をかけて映像を観察するユーザーの脳内では、左眼用映像と右眼用映像が融像されて、３次元視画像となる。
【０００３】
時分割立体映像表示システムでは、左眼用映像及び右眼用映像を時分割で表示する際、クロストークを生じないように左眼用映像及び右眼用映像を分離する必要がある。通常、表示装置からシャッター眼鏡に対し、シャッターの開閉タイミングを通知する。シャッター眼鏡の左右のシャッター機構には、例えばＳＴＮ（Ｓｕｐｅｒ  Ｔｗｉｓｔｅｄ  Ｎｅｍａｔｉｃ）液晶やＴＮ（Ｔｗｉｓｔｅｄ  Ｎｅｍａｔｉｃ）液晶といった各表示方式の液晶素子が用いられる。また、液晶もガラス素材の液晶と、プラスチック素材の液晶がある。表示方式や液晶の素材に応じて、シャッター機構の応答特性が異なってくるため、表示装置側では、シャッター眼鏡の特性に応じた表示制御が必要であると思料される。
【０００４】
例えば、シャッター眼鏡から受信した識別信号に基づいてシャッター眼鏡のシャッター開閉特性を特定して、左眼用映像及び右眼用映像の表示タイミングを制御する立体映像制御装置について提案がなされている（例えば、特許文献４を参照のこと）。
【０００５】
シャッター眼鏡は、表示装置が設置された室内の好きな場所で立体映像を視聴することや、複数の視聴者が同じ立体映像を一緒に視聴することなどを考慮すると、コードレス、言い換えればバッテリー駆動であることが好ましい。ここで、装置をバッテリー駆動式にすると、シャッター眼鏡のオペレーション時間はバッテリー容量の制約を受ける。また、バッテリー残存容量がある程度以下になると、バッテリーの交換や充電などの操作を行なう必要がある。
【０００６】
多くのバッテリー駆動機器は、バッテリーの残存容量などを通知し、若しくは警告するＬＥＤインジケーターなどを備えている。ところが、シャッター眼鏡の場合、立体映像を視聴中にバッテリーの状態が変化したかどうかを確認するには、頭からシャッター眼鏡を外してＬＥＤインジケーターの表示を観察しなければならず、ユーザーにとって利便性に欠ける。あるいは、バッテリーの残存容量が著しく低下したことにユーザーが気付かないまま立体映像の視聴をし続けると、シャッター眼鏡は表示装置からシャッターの開閉タイミングを通知する信号を受信処理できなくなる、あるいは駆動電力の低下によりシャッターをオン／オフ動作できなくなる、これらの結果として、立体視できなくなる。ユーザーは、シャッター眼鏡をかけたままでは、このような事態がバッテリーの消耗なのか、表示装置側の誤動作（例えば、通知信号を送信する送信機の故障）なのか、見分けがつかない。
【０００７】
例えば、左右のシャッターをゆっくりブリンクさせること、ユーザーの目に見える適度なレートで左右のシャッターを同時にブリンクさせること、可聴音を発生することなどによって低バッテリー寿命条件を指示するシャッター眼鏡について提案がなされている（例えば、特許文献５を参照のこと）。
【０００８】
また、シャッター眼鏡は、表示装置側の左右の映像フレームに同期して左右のシャッター機構を開閉させるが（前述）、その動作フレーム周波数は、動画コンテンツに対応するための４８Ｈｚ／７２Ｈｚ、地上又は衛星ディジタル放送コンテンツに対応するための５０Ｈｚ／６０Ｈｚのいずれかに対応していることが多い。異なるベンダーから提供される複数のシャッター眼鏡が家庭内に存在する場合、各シャッター眼鏡が対応している動作フレーム周波数がまちまちであることも想定される。表示装置とシャッター眼鏡間の通信が赤外線（ＩＲ）方式など表示装置からシャッター眼鏡への一方向通信の場合、表示装置は、各シャッター眼鏡が対応している動作フレーム周波数の情報を得ることができない。このため、ＢＤ（ブルーレイ・ディスク）プレイヤーなどで再生した映画コンテンツをＴＶ受像機などの表示装置で画面表示する場合、２−３プルダウンなどを行なってディジタル放送コンテンツの動作フレーム周波数に変換してシャッター眼鏡を制御するしかなく、映画コンテンツが意図するフレーム周波数では視聴することができない。
【０００９】
ここで、２−３プルダウンとは、フィルムの各コマを、例えば奇数番目のコマは２フィールドに、偶数番目のコマは３フィールドに変換して、２コマを５フィールド、すなわち２４Ｈｚを６０Ｈｚのフレーム周波数に変換することである。しかしながら、２−３プルダウンを行なうと、５フレームに１フレームの割合で異なる２枚のフィールドが混じり合って１フレームが構成されるので、このようなフレームでは、輪郭がぼやけるなどの不自然さが生じることが知られている。
【先行技術文献】
【特許文献】
【００１０】
【特許文献１】特開平９−１３８３８４号公報
【特許文献２】特開２０００−３６９６９号公報
【特許文献３】特開２００３−４５３４３号公報
【特許文献４】特開２０１１−１６６６１０号公報
【特許文献５】特開２０１１−１７６８０６号公報
【発明の概要】
【発明が解決しようとする課題】
【００１１】
本明細書で開示する技術の目的は、左眼用映像及び右眼用映像を時分割で交互に表示される画面を観察する際に用いられる優れたシャッター眼鏡装置、並びに、左眼用映像及び右眼用映像を時分割で交互に表示する表示装置と、映像の観察者がかけるシャッター眼鏡の組み合わせからなる優れた映像表示システムを提供することにある。
【００１２】
本明細書で開示する技術のさらなる目的は、シャッター機構の応答特性に応じた時分割映像を好適に観察することができるシャッター眼鏡装置、並びに、観察するユーザーが装着したシャッター眼鏡の応答特性に応じた時分割映像を表示することができる優れた映像表示システムを提供することにある。
【００１３】
本明細書で開示する技術のさらなる目的は、シャッター眼鏡を装着したユーザーにバッテリーの残存容量に関する情報を好適に通知することができる、優れたシャッター眼鏡装置並びに映像表示システを提供することにある。
【００１４】
本明細書で開示する技術のさらなる目的は、シャッター機構の動作フレーム周波数に応じた時分割映像を好適に観察することができるシャッター眼鏡装置、並びに、観察するユーザーが装着したシャッター眼鏡の動作フレーム周波数に応じた時分割映像を表示することができる優れた映像表示システムを提供することにある。
【課題を解決するための手段】
【００１５】
本願は、上記課題を参酌してなされたものであり、請求項１に記載の技術は、
所定の色成分毎の応答特性で開閉動作するシャッター・レンズと、
表示装置と通信する通信部と、
を具備し、
前記シャッター・レンズの色成分毎の応答特性を前記通信部から前記表示装置へ送信する、
シャッター眼鏡装置である。
【００１６】
本願の請求項２に記載の技術によれば、請求項１に記載のシャッター眼鏡装置において、前記シャッター・レンズの色成分毎の応答特性は、各色成分の応答遅延時間を含むものとする。
【００１７】
本願の請求項３に記載の技術によれば、請求項１に記載のシャッター眼鏡装置において、前記シャッター・レンズの色成分毎の応答特性は、各色成分の立ち上がり時間を含むものとする。
【００１８】
本願の請求項４に記載の技術によれば、請求項１に記載のシャッター眼鏡装置において、前記シャッター・レンズの色成分毎の応答特性は、色成分毎の応答特性の相違が小さいときには、ホワイト・バランス成分についての応答特性を含むものとする。
【００１９】
本願の請求項５に記載の技術によれば、請求項１に記載のシャッター眼鏡装置は、前記通信部がＢｌｕｅｔｏｏｔｈ通信により前記表示装置と通信するように構成されている。
【００２０】
本願の請求項６に記載の技術によれば、請求項５に記載のシャッター眼鏡装置は、前記シャッター・レンズの色成分毎の応答特性に関する情報を、ＤＭパケットのペイロード内の装置ベンダーに割り当てられた領域に記載して送信するように構成されている。
【００２１】
また、本願の請求項７に記載の技術は、
所定の色成分毎の応答特性で開閉動作するシャッター・レンズと、表示装置と通信する通信部を備え、前記シャッター・レンズの色成分毎の応答特性を前記通信部から送信するシャッター眼鏡装置と、
複数の映像を時分割で表示し、前記シャッター眼鏡装置から受信した前記シャッター・レンズの色成分毎の応答特性に基づいて前記映像の色補正を行なう表示装置と、
を具備する映像表示システムである。
【００２２】
但し、ここで言う「システム」とは、複数の装置（又は特定の機能を実現する機能モジュール）が論理的に集合した物のことを言い、各装置や機能モジュールが単一の筐体内にあるか否かは特に問わない（以下、同様）。
【００２３】
また、本願の請求項８に記載の技術は、
所定の種別に応じた充放電特性を持つバッテリーと、
前記バッテリーの出力端子電圧を検出する端子電圧検出部と、
開閉動作するシャッター・レンズと、
表示装置と通信する通信部と、
を具備し、
前記端子電圧検出部の検出値に基づく残留バッテリー電圧情報と前記バッテリーの種別に関する情報を前記通信部から前記表示装置へ送信する、
シャッター眼鏡装置である。
【００２４】
本願の請求項９に記載の技術によれば、請求項８に記載のシャッター眼鏡装置は、さらに前記バッテリーの充放電特性に関する情報を前記通信部から前記表示装置へ送信するように構成されている。
【００２５】
本願の請求項１０に記載の技術によれば、請求項８に記載のシャッター眼鏡装置は、さらに前記バッテリーの放電の開始電圧及び終止電圧に関する情報を前記通信部から前記表示装置へ送信するように構成されている。
【００２６】
本願の請求項１１に記載の技術によれば、請求項８に記載のシャッター眼鏡装置は、前記通信部がＢｌｕｅｔｏｏｔｈ通信により前記表示装置と通信するように構成されている。
【００２７】
本願の請求項１２に記載の技術によれば、請求項１１に記載のシャッター眼鏡装置は、前記のバッテリーに関する情報を、ＤＭパケットのペイロード内の装置ベンダーに割り当てられた領域に記載して送信するように構成されている。
【００２８】
また、本願の請求項１３に記載の技術は、
所定の種別に応じた充放電特性を持つバッテリーと、前記バッテリーの出力端子電圧を検出する端子電圧検出部と、開閉動作するシャッター・レンズと、表示装置と通信する通信部を備え、前記端子電圧検出部の検出値に基づく残留バッテリー電圧情報と前記バッテリーの種別に関する情報を前記通信部から前記表示装置へ送信するシャッター眼鏡装置と、
複数の映像を時分割で表示するとともに、前記シャッター眼鏡装置から受信した情報に基づいて前記バッテリーの残存容量に関する情報を表示する表示装置と、
を具備する映像表示システムである。
【００２９】
本願の請求項１４に記載の技術によれば、請求項１３に記載の表示装置は、バッテリーの種別毎の充電開始電圧及び充電終止電圧に関する情報を保持する記憶部をさらに備えている。そして、前記シャッター眼鏡装置から受信した前記バッテリーの種別に該当する充電開始電圧及び充電終止電圧を前記記憶部から読み出し、受信したに基づく残留バッテリー電圧情報を用いて計算した前記バッテリーの残時間を表示するように構成されている。
【００３０】
また、本願の請求項１５に記載の技術は、
１以上のシャッター動作フレーム周波数に対応して開閉動作するシャッター・レンズと、
表示装置と通信する通信部と、
を具備し、
前記対応するシャッター動作フレーム周波数の情報を前記通信部から前記表示装置へ送信する、
シャッター眼鏡装置である。
【００３１】
本願の請求項１６に記載の技術によれば、請求項１５に記載のシャッター眼鏡装置の通信部は、Ｂｌｕｅｔｏｏｔｈ通信により前記表示装置と通信するように構成されている。
【００３２】
本願の請求項１７に記載の技術によれば、請求項１６に記載のシャッター眼鏡装置は、対応するシャッター動作フレーム周波数の情報を、ＤＭパケットのペイロード内の装置ベンダーに割り当てられた領域に記載して送信するようにこうせいされている。
【００３３】
また、本願の請求項１８に記載の技術は、
１以上のシャッター動作フレーム周波数に対応して開閉動作するシャッター・レンズと、表示装置と通信する通信部を具備し、前記対応するシャッター動作フレーム周波数の情報を前記通信部から前記表示装置へ送信するシャッター眼鏡装置と、
複数の映像を時分割で表示し、前記シャッター眼鏡装置から受信したシャッター動作フレーム周波数の情報に基づいて前記時分割で表示する映像の駆動フレーム周波数を設定する表示装置と、
を具備する映像表示システムである。
【００３４】
本願の請求項１９に記載の技術によれば、請求項１８に記載の映像表示システムには、複数のシャッター眼鏡装置が存在している。そして、表示装置は、前記複数のシャッター眼鏡装置に共通する最大のシャッター動作フレーム周波数に基づいて、前記時分割で表示する映像の駆動フレーム周波数を設定するように構成されている。
【００３５】
本願の請求項２０に記載の技術によれば、請求項１８に記載の映像表示システムは、所定のインターフェース経由で前記表示装置に接続され、前記時分割で表示する映像を再生して前記表示装置に供給する映像再生装置をさらに備えている。
【００３６】
本願の請求項２１に記載の技術によれば、請求項２０に記載の映像表示システムにおいて、映像再生装置は、所定フレーム周波数の映像を再生する。そして、表示装置は、前記シャッター眼鏡装置から受信したシャッター動作フレーム周波数の情報に基づいて、前記映像再生装置における再生映像の周波数変換処理を前記所定のインターフェースにより制御するように構成されている。
【発明の効果】
【００３７】
本明細書で開示する技術によれば、シャッター機構の応答特性に応じた時分割映像を好適に観察することができるシャッター眼鏡装置、並びに、観察するユーザーが装着したシャッター眼鏡の応答特性に応じた時分割映像を表示することができる優れた映像表示システムを提供することができる。
【００３８】
また、本明細書で開示する技術によれば、シャッター眼鏡を装着したユーザーにバッテリーの残存容量に関する情報を好適に通知することができる、優れたシャッター眼鏡装置並びに映像表示システを提供することができる。
【００３９】
本明細書で開示する技術によれば、シャッター眼鏡装置は、シャッター・レンズの色成分毎の応答特性を表示装置に送信するので、表示装置側では、色成分毎の応答特性に応じて、表示映像に対して適切な色補正を行なったり、左眼用映像及び右眼用映像の表示タイミングを正確に微調整したりすることができる。
【００４０】
本明細書で開示する技術によれば、シャッター眼鏡装置は、バッテリーで駆動するシャッター眼鏡装置は、バッテリーの出力端子電圧だけでなく、バッテリーの特性情報も表示装置に通知するので、表示装置側では、バッテリーの種別が何であれ、より正確なバッテリーの残存容量の表示を行なうことができる。
【００４１】
また、本明細書で開示する技術によれば、シャッター機構の動作フレーム周波数に応じた時分割映像を好適に観察することができるシャッター眼鏡装置、並びに、観察するユーザーが装着したシャッター眼鏡装置の動作フレーム周波数に応じた時分割映像を表示することができる優れた映像表示システムを提供することができる。
【００４２】
本明細書で開示する技術によれば、シャッター眼鏡装置は自分が対応している動作フレーム周波数の情報を表示装置に通知するので、表示装置側では、複数のシャッター眼鏡装置の最大公約数となるフレーム周波数でシャッター制御を行なうので、各々が動作フレーム周波数の異なるシャッター眼鏡装置を装着した複数のユーザーが、時分割映像を好適に観察することができる。
【００４３】
また、ＢＤプレイヤーなどで再生した映画コンテンツを表示装置で表示する場合、本明細書で開示する技術によれば、ＢＤプレイヤーなどの映像再生装置側で２−３プルダウンなどの画像処理を行なわせず、表示装置のみでフレーム周波数変換を行なうことができるので、映像の品位低下を最小限に抑えることができる。
【００４４】
本明細書で開示する技術のさらに他の目的、特徴や利点は、後述する実施形態や添付する図面に基づくより詳細な説明によって明らかになるであろう。
【図面の簡単な説明】
【００４５】
【図１Ａ】図１Ａは、映像表示システムの構成例を模式的に示した図である。
【図１Ｂ】図１Ｂは、映像表示システムの他の構成例を模式的に示した図である。
【図２Ａ】図２Ａは、表示装置１１の左眼用映像Ｌの表示期間に同期したシャッター眼鏡１３におけるシャッター・レンズ３０８、３０９の制御動作を示した図である。
【図２Ｂ】図２Ｂは、表示装置１１の右眼用映像Ｒの表示期間に同期したシャッター眼鏡１３におけるシャッター・レンズ３０８、３０９の制御動作を示した図である。
【図３】図３は、シャッター眼鏡１３の構成例を示した図である。
【図４Ａ】図４Ａは、Ｂｌｕｅｔｏｏｔｈで定義されるパケットの構成を示した図である。
【図４Ｂ】図４Ｂは、Ｂｌｕｅｔｏｏｔｈで定義されるパケットのヘッダーの構成を示した図である。
【図４Ｃ】図４Ｃは、ＤＭ１パケットのペイロードの構成を示した図である。
【図４Ｄ】図４Ｄは、Ｖｅｎｄｏｒ  Ｓｐｅｃｉｆｉｃ  Ｄａｔａフィールド内のＦｒａｍｅ  Ｆｒｅｑｕｅｎｃｙフィールドのデータ構造を示した図である。
【図４Ｅ】図４Ｅは、ＤＭ３パケットのペイロードの構成を示した図である。
【図５Ａ】図５Ａは、シャッター・レンズ３０８、３０９にＳＴＮ液晶を用いた場合の、色成分毎の応答特性を示した図である。
【図５Ｂ】図５Ｂは、シャッター・レンズ３０８、３０９にＴＮ液晶を用いた場合の、色成分毎の応答特性を示した図である。
【図５Ｃ】図５Ｃは、シャッター・レンズ３０８、３０９の応答遅延時間ｔ1並びに立ち上がり時間ｔ2の定義を説明するための図である。
【図６】図６は、表示装置１１側の液晶表示パネル１３４及びシャッター眼鏡１３側の左右のシャッター・レンズ３０８、３０９の動作タイミング・チャートを示した図である。
【図７Ａ】図７Ａは、パケットのＶｅｎｄｏｒ  Ｓｐｅｃｉｆｉｃ  Ｄａｔａフィールド内に応答遅延時間ｔ1並びに立ち上がり時間ｔ2を書き込むフォーマット例を示した図である。
【図７Ｂ】図７Ｂは、ホワイト・バランスの情報を送信する際のＶｅｎｄｏｒ  Ｓｐｅｃｉｆｉｃ  Ｄａｔａフィールド内の記入例を示した図である。
【図８Ａ】図８Ａは、通常のリチウム・イオン電池の放電曲線を示した図である。
【図８Ｂ】図８Ｂは、正極材の異なるリチウム・イオン電池の放電曲線を示した図である。
【図８Ｃ】図８Ｃは、ニッケル水素電池の放電曲線を示した図である。
【図８Ｄ】図８Ｄは、リチウム１次電池の放電曲線を示した図である。
【図９Ａ】図９Ａは、Ｖｅｎｄｏｒ  Ｓｐｅｃｉｆｉｃ  Ｄａｔａフィールド内にバッテリー３１０に関する情報を書き込むフォーマット例を示した図である。
【図９Ｂ】図９Ｂは、バッテリーの開始電圧Ｖ1及び終止電圧Ｖ2を記載するための各６ビットのフィールドをＶｅｎｄｏｒ  Ｓｐｅｃｉｆｉｃ  Ｄａｔａフィールド内に設けた例を示した図である。
【図１０Ａ】図１０Ａは、Ｄｅｖｉｃｅ  Ｔｙｐｅフィールドに偏光角の情報を記載したＤＭ１パケットのフォーマット例を示した図である。
【図１０Ｂ】図１０Ｂは、Ｄｅｖｉｃｅ  Ｔｙｐｅフィールドに偏光角の情報を記載したＤＭ３パケットのフォーマット例を示した図である。
【図１１】図１１は、表示装置１１がシャッター眼鏡１３からシャッター動作フレーム周波数の情報を取得したことに応じて実行する処理動作を示したフローチャートである。
【図１２】図１２は、２４Ｈｚ強制出力フラグを含むＨＤＭＩ  ＥＤＩＤのデータ構造を示した図である。
【図１３】図１３は、表示装置１１においてＨＤＭＩ  ＥＤＩＤに２４Ｈｚ強制出力フラグを設定する処理手順を示したフローチャートである。
【図１４】図１４は、ＢＤプレイヤー１４において、ＨＤＭＩ接続された表示装置１１側の２４Ｈｚ強制出力フラグの設定に応じて映像を出力する処理手順を示したフローチャートである。
【発明を実施するための形態】
【００４６】
以下、図面を参照しながら本明細書で開示する技術の実施形態について詳細に説明する。
【００４７】
図１Ａには、映像表示システムの構成例を模式的に示している。映像表示システムは、３次元表示（３次元視）対応の表示装置１１と、左眼部及び右眼部にそれぞれシャッター機構を備えたシャッター眼鏡１３の組み合わせからなる。以下では、３次元画像表示に用いる表示装置１１として、液晶ディスプレイ（ＬＣＤ）を用いるものとする。但し、本明細書で開示する技術の要旨は、液晶ディスプレイに必ずしも限定されない。
【００４８】
表示装置１１は、フレーム・シーケンシャル方式で左眼用映像Ｌ及び右眼用映像Ｒを交互に表示する。一方、シャッター眼鏡１３は、表示装置１１側での左眼用映像Ｌ及び右眼用映像Ｒの切り換えタイミングと同期をとって、左右のシャッター・レンズ３０８、３０９の開閉切り換えを行なう。表示装置１１とシャッター眼鏡１３間の通信には、Ｂｌｕｅｔｏｏｔｈ通信やＷｉ−Ｆｉ、ＩＥＥＥ８０２．１５．４などの、電波通信によるワイヤレス・ネットワークが用いられ、表示装置１１からシャッター眼鏡１３へ、シャッター・レンズ３０８、３０９の開閉タイミングを制御するために必要な情報を記載したパケットが送信される。
【００４９】
表示装置１１は、左右映像信号処理部１２０と、通信部１２４と、タイミング制御部１２６と、ゲート・ドライバー１３０と、データ・ドライバー１３２と、液晶表示パネル１３４を備えている。
【００５０】
液晶表示パネル１３４は、液晶層及び液晶層を挟んで対向する透明電極と、カラー・フィルターなど（いずれも図示しない）から構成されている。また、液晶表示パネル１３４の背後には、バックライト（面光源）１３６が配置されている。バックライト１３６は、残光特性の良好なＬＥＤ（Ｌｉｇｈｔ  Ｅｍｉｔｔｉｎｇ  Ｄｉｏｄｅ）などから構成されている。
【００５１】
左右映像信号処理部１２０には、左眼用映像Ｒ及び右眼用映像Ｌをそれぞれ表示するための左右の映像信号ＤL、ＤRからなる入力信号Ｄinが、例えばフレーム・パッキングなどの伝送フォーマットで入力される。左右映像信号処理部１２０内では、画像の鮮鋭度のエンハンスやコントラスト改善、さらには色補正などの画質補正処理が行なわれる。
【００５２】
タイミング制御部１２６には、左右映像信号処理部１２０で変換された左眼用映像信号ＤL及び右眼用映像信号ＤRが入力される。タイミング制御部１２６は、入力された左眼用映像信号ＤL及び右眼用映像信号ＤRを液晶表示パネル１３４へ入力するための信号に変換するとともに、ゲート・ドライバー１３０及びデータ・ドライバー１３２からなるパネル駆動回路の動作に用いられるパルス信号を生成する。
【００５３】
ゲート・ドライバー１３０は、順次駆動するための信号を生成する駆動回路であり、タイミング制御部１２６から伝送された信号に応じて、液晶表示パネル１３４内の各画素に接続されたゲート・バス・ラインへ、駆動電圧を出力する。また、データ・ドライバー１３２は、映像信号に基づく駆動電圧を出力する駆動回路であり、タイミング制御部１２６から伝送された信号に基づいてデータ線へ印加する信号を生成して出力する。
【００５４】
表示装置１１は、液晶の応答速度の不足に起因するクロストークの発生、及び輝度不足などを解消するため、駆動周波数を高め、左右の映像の１フレームを液晶表示パネル１３４に２度表示させる（２度書き込む）という手法を採用してもよい。この場合、左右映像信号制御部１２０は、入力された右目用映像信号と左目用映像信号のそれぞれについて、同じ信号が２つ連続するように変換を行なう。なお、映像フレームの２度書き込みの詳細については、例えば本出願人に既に譲渡されている特開２０１１−１２０２６５号公報を参照されたい。
【００５５】
通信部１２４は、Ｂｌｕｅｔｏｏｔｈ通信におけるマスター、あるいは、Ｗｉ−ＦｉやＩＥＥＥ８０２．１５．４などのワイヤレス・ネットワークにおけるアクセスポイントとして動作し、端末局として動作する１以上のシャッター眼鏡１３を自分のネットワークに収容する。通信部１２４からは、シャッター眼鏡１３側でシャッター・レンズ３０８、３０９の開閉タイミングを制御するために必要な情報を記載したパケットが送信される。また、通信部１２４は、シャッター眼鏡１３側からパケットを受信することもある。
【００５６】
映像表示システムにおいて、３次元表示（３次元視）対応の表示装置１１は、例えばＴＶ受像機であり、地上又は衛星ディジタル放送を受信する。他のシステム運用例として、ＢＤプレイヤーなどで再生した映画コンテンツを表示装置１１に表示し、ユーザーがシャッター眼鏡を掛けて観察することが挙げられる。図１Ｂには、この場合の映像表示システムの構成例を模式的に示している。
【００５７】
３次元対応のＢＤプレイヤー１４と表示装置１１は、例えばＨＤＭＩ（Ｈｉｇｈ  Ｄｅｆｉｎｉｔｉｏｎ  Ｍｕｌｔｉｍｅｄｉａ  Ｉｎｔｅｒｆａｃｅ）ケーブル経由で接続されている。また、表示装置１１は、Ｂｌｕｅｔｏｏｔｈ通信におけるマスター、あるいは、Ｗｉ−ＦｉやＩＥＥＥ８０２．１５．４などのワイヤレス・ネットワークにおけるアクセスポイントとして動作し、端末局として動作する１以上のシャッター眼鏡１３Ａ…を自分のネットワークに収容する。
【００５８】
図１Ａに示したように、シャッター眼鏡１３は、それぞれ開閉動作が可能な左右のシャッター・レンズ３０８、３０９を備えている。シャッター・レンズ３０８、３０９には、ＳＴＮ液晶やＴＮ液晶といった各表示方式の液晶素子を用いることができる。そして、シャッター眼鏡１３は、表示装置１１から受信したパケットに基づいて左眼用映像Ｌ及び右眼用映像Ｒの切り換えタイミングと同期をとり、左右のシャッター・レンズ３０８、３０９の開閉切り換えを行なう。
【００５９】
図２Ａには、表示装置１１の左眼用映像Ｌの表示期間に同期したシャッター眼鏡１３におけるシャッター・レンズ３０８、２０９の制御動作を示している。図示のように、左眼用映像Ｌの表示期間には、表示装置１１側から無線伝送される同期パケットに従って、左眼用シャッター・レンズ３０８を開成状態、右眼用シャッター・レンズ３０９を閉成状態とし、左眼用映像Ｌに基づく表示光ＬＬがユーザーの左眼にのみ到達する。
【００６０】
また、図２Ｂには、右眼用映像Ｒの表示期間に同期したシャッター眼鏡１３におけるシャッター・レンズ３０８、２０９の制御動作を示している。図示のように、右眼用映像Ｒの表示期間には、右眼用シャッター・レンズ３０９を開成状態、左眼用シャッター・レンズ３０８を閉成状態とし、右眼用映像Ｒに基づく表示光ＲＲがユーザーの右眼にのみ到達する。
【００６１】
表示装置１１は、液晶表示パネル１３４に、フィールド毎に左眼用映像Ｌと右眼用映像Ｒを交互に表示する。シャッター眼鏡１３側では、左右のシャッター・レンズ３０８、３０９が表示装置１１のフィールド毎の映像切り換えに同期して交互に開閉動作を行なう。シャッター眼鏡１３越しに表示映像を観察するユーザーの脳内では、左眼用映像Ｌと右眼用映像Ｒが融像され、表示装置１１に表示される映像が３次元的に認識される。
【００６２】
図３には、シャッター眼鏡１３の構成例を示している。以下、各部について説明する。
【００６３】
無線通信部３０１は、例えばＢｌｕｅｔｏｏｔｈ通信におけるスレーブ、あるいは、Ｗｉ−ＦｉやＩＥＥＥ８０２．１５．４などのワイヤレス・ネットワークにおける端末局として動作し、表示装置１１側の通信部１２４のネットワークに収容され、表示装置１１との間でパケットの送受信を行なう。
【００６４】
制御部３０２は、無線通信部３０１を介した送受信パケットの処理を行なうとともに、シャッター眼鏡１３内の各部の動作を統括的に制御する。また、制御部３０２は、ＬＥＤインジケーター３０７を用いて内部状態を表示するようにしてもよい。
【００６５】
図示の例では、左右のシャッター・レンズ３０８、３０９は、ＳＴＮ液晶やＴＮ液晶といった各表示方式の液晶素子で構成され、液晶駆動部３０５によってその開閉動作が行なわれる。電圧発生部３０３は、制御部３０２からの指示に従って、液晶駆動用の電圧を発生する。また、タイミング生成部３０４は、制御部３０２からの指示に従って、左右のシャッター・レンズ３０８、３０９の開閉タイミングを制御するためのタイミング信号を生成する。
【００６６】
また、図示の例では、シャッター眼鏡１３は、２次（充電可能）バッテリー３１０を主電源としている。充放電制御部３１１は、制御部３０２からの指示に従って、バッテリー３１０の充電動作を制御したり、放電動作すなわちバッテリー３１０から各部への電力供給を制御したりする。但し、使用するバッテリー３１０は、２次バッテリーであるとは限らず、１次バッテリーであってもよい。端子電圧検出部３１２は、バッテリー３１０の出力端子電圧を検出し、検出値を制御部３０２に通知する。制御部３０２は、例えばバッテリー３１０の残存容量が１０％以下になったときに、ＬＥＤインジケーター３０７を点滅させて、ユーザーにバッテリー３１０の充電や交換を促すようにしてもよい。
【００６７】
記憶部３０６は、制御部３０２で実行するプログラム・コードや、シャッター・レンズ３０８、３０９に使用する液晶素子の応答特性や、バッテリー３１０シャッター眼鏡１３内の特性情報（後述）、対応する動作フレーム周波数の情報（後述）などを格納している。
【００６８】
表示装置１１とシャッター眼鏡１３間の通信には、Ｂｌｕｅｔｏｏｔｈ通信やＷｉ−Ｆｉ、ＩＥＥＥ８０２．１５．４などの、電波通信によるワイヤレス・ネットワークが用いられることは既に述べた。ここで、表示装置１１とシャッター眼鏡１３間の情報交換にＢｌｕｅｔｏｏｔｈ通信を適用する場合を例にとって、使用されるパケット構造について説明しておく。
【００６９】
Ｂｌｕｅｔｏｏｔｈ通信は、 “Ｂｌｕｅｔｏｏｔｈ  ＳＩＧ（ＳｐｅｃｉａｌＩｎｔｅｒｅｓｔ Ｇｒｏｕｐ）”にその運営・管理が委ねられている。Ｂｌｕｅｔｏｏｔｈで定義されるパケットは、図４Ａに示すように、６８又は７２ビット長のアクセス・コード（Ａｃｃｅｓｓ  Ｃｏｄｅ）と、５４ビット長のパケット・ヘッダー（Ｈｅａｄｅｒ）と、０〜２７４５ビット（可変長）のペイロード（Ｐａｙｌｏａｄ）からなる。
【００７０】
アクセス・コードは、４ビットのプリアンブルと、６４ビットのシンク・ワードを含み、これに４ビットのトレーラーをつける場合は７２ビット長となる。
【００７１】
パケット・ヘッダーは、図４Ｂに示すように、３ビット長のＬＴ＿ＡＤＤＲ（論理トランスポート・アドレス）フィールド、パケットの種別を表す４ビット長のＴＹＰＥフィールド、フロー制御に用いる１ビットのＦＬＯＷフィールド、１ビットのＡＲＱＮ（ＡＣＫインジケーター）フィールド、１ビットのＳＥＱＮ（シーケンス番号）フィールド、８ビットのＨＥＣ（ヘッダー・エラー・チェック）フィールドを有し、これに１／３レートの誤り訂正符号化の処理（１／３  ＦＥＣ）が施され、その結果として合計５４ビット長となる。
【００７２】
Ｂｌｕｅｔｏｏｔｈ通信のリンクには、回線交換型のＳＣＯリンクと、パケット交換型のＡＣＬリンクの２種類がある。また、ＡＣＬパケットとして、誤り訂正符号化されたＤＭ（Ｄａｔａ  ｍｅｄｉｕｍ）パケットと、誤り訂正処理されないＤＨ（Ｄａｔａ  Ｈｉｇｈ）パケットが提供されている。本実施形態では、例えばシャッター眼鏡１３からのパケット（Ａｓｓｏｃｉａｔｉｏｎ  Ｎｏｔｉｆｉｃａｔｉｏｎ  Ｐａｃｋｅｔ）送信時において、電波の干渉などを考慮して、スロット長１のＤＭ１パケット、又は、スロット長３のＤＭ３パケットを使用することとする。ＤＭ１パケットの場合、ヘッダー内のＴＹＰＥフィールドに‘００１１’を記載し、ＤＭ３パケットの場合は、ヘッダー内のＴＹＰＥフィールドに‘１０１０’を記載する。
【００７３】
図４Ｃに示すように、ＤＭ１パケットの場合のペイロードは、１バイト長のヘッダーと最大１７バイト長のＤＭ１用ペイロード（Ｐａｙｌｏａｄ  ｆｏｒ  ＤＭ１）からなる。同図には、シャッター眼鏡１３からのパケット送信に用いる場合のペイロード例を示している。６バイト長の３ＤＧ  ＢＤ  Ａｄｄｒｅｓｓフィールドには、シャッター眼鏡１３に割り当てられているプロファイル・アドレスを記載する。１バイト長のＤｅｖｉｃｅ  Ｔｙｐｅフィールドには、スレーブとしてのシャッター眼鏡１３を指定するコードを記載する。１バイト長のＲｅｓｅｒｖｅフィールドは予備領域である。２バイト長のＣｏｍｐａｎｙ  ＩＤフィールドには、Ｖｅｎｄｏｒ  Ｓｐｅｃｉｆｉｃ（後述）を指定するために、シャッター眼鏡１３のベンダー各社に割り当てられたコードを記載する（ＤＭ１の場合は、Ｆｕｌｌ  ＨＤ  ３Ｄ  Ｇｌａｓｓｅｓ  Ｉｎｉｔｉａｔｉｖｅに割り当てられたコードを記載し、互換性を保つ）。７バイト長のＶｅｎｄｏｒ  Ｓｐｅｃｉｆｉｃ  Ｄａｔａフィールドはデータ領域に用いられる。
【００７４】
Ｖｅｎｄｏｒ  Ｓｐｅｃｉｆｉｃ  Ｄａｔａフィールドの第１バイト目のＶｅｒｓｉｏｎフィールドには、Ｖｅｎｄｏｒ  Ｓｐｅｃｉｆｉｃ  Ｄａｔａのバージョン情報を記載する。第２バイト目のＢａｔｔｅｒｙ  Ｔｙｐｅには、シャッター眼鏡１１に内蔵されたバッテリーの種別を記載する。第３バイト目のＢａｔｔｅｒｙ  Ｖｏｌｔａｇｅフィールドには、現状のバッテリーの電圧を記載する。第４バイト目と第５バイト目のＣｏｌｏｒ  Ｓｈｉｆｔフィールドには、液晶シャッター材質の持つ色度点（Ｗｈｉｔｅ  Ｂａｌａｎｃｅ）の情報を記載する。第６バイト目のＦｒａｍｅ  Ｆｒｅｑｕｅｎｃｙフィールドには、シャッター動作フレーム周波数の対応を示すデータを記載する。第７バイト目には予備領域（Ｒｅｓｅｒｖｅｄ）である。
【００７５】
図４Ｄには、Ｖｅｎｄｏｒ  Ｓｐｅｃｉｆｉｃ  Ｄａｔａフィールドの第６バイト目のＦｒａｍｅ  Ｆｒｅｑｕｅｎｃｙフィールドのデータ構造を示している。第１ビットから第５ビットまでの各ビットに、シャッター眼鏡１３が対応しているシャッター動作フレーム周波数それぞれのビットを「１」にする。例えば、このＦｒａｍｅ  Ｆｒｅｑｕｅｎｃｙフィールドに“１１１１００００”と記載されていれば、このパケット送信元のシャッター眼鏡１３は、４８Ｈｚ、５０Ｈｚ、６０Ｈｚ、７２Ｈｚのシャッター動作フレーム周波数に対応しており、９６Ｈｚには対応していないことを示す。このデータがＡｓｓｏｃｉａｔｉｏｎ  Ｎｏｔｉｆｉｃａｔｉｏｎ  Ｐａｃｋｅｔなどにより表示装置１１へ伝送されることで、表示装置１１側では、自セル内に複数存在するシャッター眼鏡１３Ａ…がそれぞれ対応するシャッター動作フレーム周波数を取得することができる。複数のシャッター眼鏡１３Ａ…で映画コンテンツを視聴する場合、表示装置１１がすべてのシャッター眼鏡１３Ａ…で共通の最高フレーム周波数で液晶表示パネル１３４を駆動すれば、各シャッター眼鏡１３Ａ…で良好な３次元映像を楽しむことができる（後述）。
【００７６】
また、図４Ｅに示すように、ＤＭ３パケットの場合のペイロードは、２バイト長のヘッダーと最大１２０バイト長のＤＭ３用ペイロード（Ｐａｙｌｏａｄ  ｆｏｒ  ＤＭ３）からなる。同図には、シャッター眼鏡１３からのパケット送信に用いる場合のペイロード例を示している。６バイト長の３ＤＧ  ＢＤ  Ａｄｄｒｅｓｓフィールドには、シャッター眼鏡１３に割り当てられているプロファイル・アドレスを記載する。１バイト長のＤｅｖｉｃｅ  Ｔｙｐｅフィールドには、スレーブとしてのシャッター眼鏡１３を指定するコードを記載する。２バイト長のＣｏｍｐａｎｙ  ＩＤフィールドには、Ｖｅｎｄｏｒ  Ｓｐｅｃｉｆｉｃを指定するために、シャッター眼鏡１３のベンダー各社に割り当てられたコードを記載する（ＤＭ３の場合は、ベンダー各社固有のコードを記載する）。最大１１１バイト長のＶｅｎｄｏｒ  Ｓｐｅｃｉｆｉｃ  Ｄａｔａフィールドはデータ領域に用いられる。
【００７７】
シャッター・レンズの応答特性に応じた表示制御
上述したように、シャッター眼鏡１３の左右のシャッター・レンズ３０８、３０９には、例えばＳＴＮ液晶やＴＮ液晶といった各表示方式の液晶素子が用いられる。また、液晶もガラス素材の液晶と、プラスチック素材の液晶がある。表示方式や液晶の素材に応じて、シャッター・レンズ３０８、３０９の応答特性が異なってくる。
【００７８】
図５Ａには、シャッター・レンズ３０８、３０９にＳＴＮ液晶を用いた場合の、表示装置１１側の左右の映像切り替えに同期してシャッター・レンズ３０８、３０９を交互に開閉動作させたときのＲ（赤）、Ｇ（緑）、Ｂ（青）、Ｗ（白）の色成分毎の応答特性を例示している。
【００７９】
ＳＴＮ液晶の場合、シャッターの開放が指示されてから開放を開始するまでの応答遅延時間ｔ1は小さいが、シャッターの開放を開始してから開放し終えるまでの所要時間（以下、「立ち上がり時間」とする）ｔ2は色成分毎にかなりばらつきがある。具体的には、ＳＴＮ液晶はＧ（青）成分に対する応答が速い。ＳＴＮ液晶の色成分毎の応答時間（立ち上がり時間と立ち下がり時間）を下表にまとめておく。ＳＴＮ液晶はＧ（青）成分に対する応答が速いため、画面を垂直方向に１行ずつスキャンして描画する場合、画面の上部は青みがかり、逆に画面の下部ではＧ成分が速く落ちして黄色がかるので、画面の上下でホワイト・バランスが異なり色むらを生じてしまう。このため、表示装置１１側では、シャッター眼鏡１３側の色成分毎の応答特性の相違に応じて、映像信号に対して色補正を行なうことが好ましい。
【００８０】
【表１】
2013081149.tif 000003
【００８１】
また、図５Ｂには、シャッター・レンズ３０８、３０９にＴＮ液晶を用いた場合の、表示装置１１側の左右の映像切り替えに同期してシャッター・レンズ３０８、３０９を交互に開閉動作させたときのＲ（赤）、Ｇ（緑）、Ｂ（青）、Ｗ（白）の色成分毎の応答特性を例示している。
【００８２】
ＴＮ液晶の場合、色成分毎の立ち上がり時間ｔ2のばらつきは小さいので、画面の上下でホワイト・バランスの差はあまり生じない。ＴＮ液晶の色成分毎の応答時間（立ち上がり時間と立ち下がり時間）を下表にまとめておく。このようにホワイト・バランスの差が生じないときに表示装置１１側で上述したような色補正を行なうと、かえって色むらを発生させてしまう。他方、ＴＮ液晶の場合、応答遅延時間ｔ1が大きい。このため、表示装置１１側では、シャッター眼鏡１３側のシャッターの開閉切り替えの応答遅延時間ｔ1に応じて、左眼用映像と右眼用映像の切り替えタイミングの調整を行なうことが好ましい。
【００８３】
【表２】
2013081149.tif 000004
【００８４】
但し、本明細書中で、シャッター・レンズ３０８、３０９の応答遅延時間ｔ1並びに立ち上がり時間ｔ2は、図５Ｃに示した定義に従うものとする。
【００８５】
表示装置１１側で表示する左眼用映像と右眼用映像を分離（映像選択）する方法として、シャッター眼鏡１３の左右のシャッター・レンズ３０８、３０９の開閉動作のみで行なう方法と、さらに表示装置１１側でのバックライト１３６の点灯・消灯を組み合わせる方法が挙げられる。ここでは、前者の方法に限って考察してみる。
【００８６】
図６には、表示装置１１側の液晶表示パネル１３４及びシャッター眼鏡１３側の左右のシャッター・レンズ３０８、３０９の動作タイミング・チャートを示している。但し、同図では、左右の映像の１フレームを２度書き込みする手法（前述）が採用されている例を示している。また、有効スキャン・ライン数を１０８０本、総スキャン・ライン数を１１２５本とする。
【００８７】
左眼用映像と右眼用映像を交互に切り換えて表示を行なう場合、液晶表示パネル１３４の画面の上端と下端で書き込みのタイミングが異なる。このため、２度目のフレーム書き込みを開始した後、さらにオフセットを設けると、左右のシャッター・レンズ３０８、３０９の応答は図示の通りとなる。応答特性から、シャッター・レンズ３０８、３０９が閉じるタイミングが重要である。
【００８８】
液晶表示パネル１３４の画面上端の応答に合わせて、デューティー１２．５％でシャッター・レンズ３０８、３０９の開閉動作（Ｓ＿ＯＰＥＮ）を行なう場合、オフセットは２．０８ミリ秒（＝１６．６６ミリ秒×１２．５％）である。画面の下端では、書き換え後から約２．２ミリ秒しか経過していないので、現在表示している映像への応答が完了していない。上記を改善するためにオフセットを大きくすると、今度は画面の上端が劣悪になる。この現象は、フレームレートが６０Ｈｚのときに顕著である。５０Ｈｚ／４８Ｈｚのときは、ブランキング期間が長くなるので影響は小さくなる。
【００８９】
要するに、画面の上端から下端に向かって垂直方向にスキャンする液晶表示パネル１３４の駆動方法では、適当なデューティーにおいて、オフセットの値を画面上端の画質に影響を与えないタイミングに微調整する必要がある。
【００９０】
表示装置１１とシャッター眼鏡１３が同じ製造業者から提供される場合など、両者の組み合わせが固定されている場合には、あらかじめ分かっているシャッター・レンズ３０８、３０９の色成分毎の応答特性に応じて、表示装置１１側で色補正の有無やオフセット（前述）などの表示タイミング調整を行なってから出荷すればよい。
【００９１】
しかしながら、複数のベンダーからシャッター眼鏡１３が提供され、１台の表示装置１１に対してさまざまな機種のシャッター眼鏡１３が利用されることも想定される。このため、表示装置１１側では、現在ユーザーが使用しているシャッター眼鏡１３の応答特性に応じた表示制御が必要である。
【００９２】
そこで、本実施形態では、シャッター眼鏡１３から表示装置１１へ、シャッター・レンズ３０８、３０９の色成分毎の応答特性に関する情報を記載したパケットを送信して、表示装置１１に通知するようにする。これに対し、表示装置１１側では、シャッター眼鏡１３から受信した情報に基づいて、色補正の有無の設定や、表示タイミングの微調整を行なうようにする。
【００９３】
具体的には、色成分毎の応答特性に関する情報の通知には、Ｂｌｕｅｔｏｏｔｈ通信で提供されるＤＭ１パケットやＤＭ３パケットを用いることができ、ペイロードのデータ領域であるＶｅｎｄｏｒ  Ｓｐｅｃｉｆｉｃ  Ｄａｔａフィールド内に必要な情報を書き込む。シャッター眼鏡１３側では、必要な情報をあらかじめ記憶部３０６内に格納しておき、制御部３０２は、ＤＭ１パケット又はＤＭ３パケットの送信時に、記憶部３０６から情報を読み出してＶｅｎｄｏｒ  Ｓｐｅｃｉｆｉｃ  Ｄａｔａフィールド内に書き込む。
【００９４】
ここで言う必要な情報は、Ｒ、Ｇ、Ｂ各色成分の応答遅延時間ｔ1並びに立ち上がり時間ｔ2である。図７Ａには、Ｖｅｎｄｏｒ  Ｓｐｅｃｉｆｉｃ  Ｄａｔａフィールド内に応答遅延時間ｔ1並びに立ち上がり時間ｔ2を書き込むフォーマット例を示している。色成分毎に２バイトのフィールドが与えられ、それぞれ先頭から８ビットを用いて応答遅延時間ｔ1並びに立ち上がり時間ｔ2を記載し、続く１ビットでデータ種別を表し、残る７ビットに立ち上がり時間ｔ2を記載する。真ん中の２バイトは、Ｇ成分とＷ（ホワイト・バランス）で共用される。ＲＧＢ色成分毎の応答遅延時間ｔ1並びに立ち上がり時間ｔ2を記載するときは１ビットのデータ種別フィールドに１を書き込み、Ｗのみ送信するときは、データ種別フィールドに０を書き込む。ＴＮ液晶のようにＲＧＢ色成分間で応答性がほぼそろっているときには、Ｗの情報のみを送信すればよい。この場合、ＬＳＢから２バイト、並びにＭＳＢから２バイトの領域には０を書き込み、真ん中の２バイトには、Ｗについての応答遅延時間ｔ1と、データ種別の０と、Ｗについての立ち上がり時間ｔ2を記載する。図７Ｂには、ホワイト・バランスの情報を送信する際のＶｅｎｄｏｒ  Ｓｐｅｃｉｆｉｃ  Ｄａｔａフィールド内の記入例を示している。実際の使い方として、例えば６８０マイクロ秒を表すときには、６８０ではなく６８と記載して、使用ビット数を節約するようにする。
【００９５】
バッテリーの残存容量表示
上述したように、バッテリー３１０の残存容量がある程度以下になると、バッテリー３１０の交換や充電などの操作を行なう必要がある。
【００９６】
本実施形態では、シャッター眼鏡１３は、バッテリー３１０の出力端子電圧を検出する端子電圧検出部３１２を備えており、例えば制御部３０２においてバッテリー３１０の残存容量が１０％以下になったことを検知すると、ＬＥＤインジケーター３０７を点滅させて、ユーザーにバッテリー３１０の充電や交換を促すようにしてもよい。
【００９７】
ところが、立体映像を視聴中にバッテリーの状態が変化したかどうかを確認するには、ユーザーは、頭からシャッター眼鏡１３を外してＬＥＤインジケーター３０７の表示を観察しなければならず、利便性に欠ける。
【００９８】
例えば、本出願人に既に譲渡されている特願２０１０−８１２００号明細書には、シャッター眼鏡からバッテリーの残存容量などの内部情報を表示装置に送信し、表示装置側では、残存容量の通知や警告を画面表示する映像表示システムについて開示されている。このようなシステムによれば、ユーザーは、シャッター眼鏡をかけたままの状態で立体映像を視聴しながら、バッテリーの消耗などの状態を確認することができる。
【００９９】
シャッター眼鏡１３は、端子電圧検出部３１２で検出したバッテリー３１０の出力端子電圧をそのまま表示装置１１に送信し、表示装置１１側でバッテリー３１０の残存容量などの状態を監視するようにしてもよい。ところが、バッテリー３１０の種類により、充電終了電圧（オペレーションの開始電圧）、放電終了電圧（オペレーションの終止電圧）は異なる。図８Ａ〜図８Ｄに、通常のリチウム・イオン電池、正極材の異なるリチウム・イオン電池、ニッケル水素電池、リチウム１次電池それぞれの放電曲線を示している。各図を比較すると、バッテリーの種類により開始電圧並びに終止電圧がまちまちであることを理解できよう。
【０１００】
そこで、本実施形態では、シャッター眼鏡１３から表示装置１１へ、バッテリー３１０の出力端子電圧などの残留バッテリー電圧情報だけでなく、バッテリー３１０の特性情報を、表示装置１１に通知するようにする。したがって、表示装置１１側では、バッテリー３１０の種別が何であれ、バッテリー３１０が終止電圧Ｖ2に到達するまでの残時間を計算して、より正確なバッテリー３１０の残時間の表示を行なうことが可能になる。
【０１０１】
バッテリー３１０の特性情報とは、具体的には、バッテリー３１０の種別や、その開始電圧Ｖ1及び終止電圧Ｖ2などである。バッテリー３１０に関する情報の通知には、Ｂｌｕｅｔｏｏｔｈ通信で提供されるＤＭ１パケットやＤＭ３パケットを用いることができ、ペイロードのデータ領域であるＶｅｎｄｏｒ  Ｓｐｅｃｉｆｉｃ  Ｄａｔａフィールド内に必要な情報を書き込む。シャッター眼鏡１３側では、必要な情報をあらかじめ記憶部３０６内に格納しておき、制御部３０２は、ＤＭ１パケット又はＤＭ３パケットの送信時に、記憶部３０６から情報を読み出してＶｅｎｄｏｒ  Ｓｐｅｃｉｆｉｃ  Ｄａｔａフィールド内に書き込む。
【０１０２】
図９Ａには、Ｖｅｎｄｏｒ  Ｓｐｅｃｉｆｉｃ  Ｄａｔａフィールド内にバッテリー３１０に関する情報を書き込むフォーマット例を示している。先頭の１ビットを用いて、バッテリー３１０の種別を記載する（例えば、１次電池であれば０を、２次電池であれば１を記載する）。例えば表示装置１１側では、バッテリー３１０の種別毎の開始電圧Ｖ1及び終止電圧Ｖ2をあらかじめＲＯＭ（Ｒｅａｄ  Ｏｎｌｙ  Ｍｅｍｏｒｙ）に記憶しておく。そして、表示装置１１は、シャッター眼鏡１３がバッテリー３１０の種別及び出力端子電圧に関する情報をパケットで受け取ると、上記ＲＯＭから該当する開始電圧Ｖ1及び終止電圧Ｖ2を読み出して、受け取った残留バッテリー電圧情報を用いて残時間の計算を行ない、液晶表示パネル１３４にバッテリー３１０の残時間の表示を行なう。
【０１０３】
あるいは、後方のフィールドを用いて、バッテリー３１０のより詳細なタイプを記載する。また、残りのフィールドを用いて、開始電圧Ｖ1及び終止電圧Ｖ2などの特性情報を送信するようにしてもよい。例えば、図９Ｂに示すように、バッテリー３１０の開始電圧Ｖ1及び終止電圧Ｖ2を記載するための各６ビットのフィールドをＶｅｎｄｏｒ  Ｓｐｅｃｉｆｉｃ  Ｄａｔａフィールド内に設けてもよい。表示装置１１は、シャッター眼鏡１３から受け取ったパケットに記載されている開始電圧Ｖ1及び終止電圧Ｖ2を読み出して、受け取った残留バッテリー電圧情報を用いて残時間の計算を行ない、液晶表示パネル１３４にバッテリー３１０の残時間の表示を行なう。この場合、表示装置１１側では、バッテリー３１０の種別毎の開始電圧Ｖ1及び終止電圧Ｖ2を保持する必要はない（あるいは、表示装置１１は、開始電圧Ｖ1及び終止電圧Ｖ2を保持していないバッテリー３１０の種別にも対応することができる）。
【０１０４】
シャッター・レンズの偏光角の通知
多くの時分割３次元視画像映像システムでは、表示装置１１側は偏光角が９０度のシャッター眼鏡１３に対応しているが、パーソナル・コンピューターなど一部の製品では、偏光角が４５度又は１３５度を使用している。ユーザーが使用するシャッター眼鏡１３の偏光角が表示装置１１に対応していないと、左眼用映像と右眼用映像を分離できず、立体視できなくなる。
【０１０５】
そこで、本実施形態では、シャッター眼鏡１３から表示装置１１へ、シャッター・レンズ３０８、３０９の偏光角に関する情報を記載したパケットを送信して、表示装置１１に通知するようにする。これに対し、表示装置１１側では、自分の偏光角と対応していないことを検知したときには、例えば液晶表示パネル１３４に警告を表示するようにしてもよい。
【０１０６】
例えば、シャッター眼鏡１３は、ＤＭ１パケットやＤＭ３パケットのペイロード（Ｐａｙｌｏａｄ  ｆｏｒ  ＤＭ１、Ｐａｙｌｏａｄ  ｆｏｒ  ＤＭ３）内のＤｅｖｉｃｅ  Ｔｙｐｅフィールドに、偏光角に関する情報を記載して、表示装置１１に送信する。自分の偏光角が９０度であれば、Ｄｅｖｉｃｅ  Ｔｙｐｅフィールドに００を記載し、４５度であれば０１を記載し、１３５度であれば０２を記載する（図１０Ａ、図１０Ｂを参照のこと）。
【０１０７】
シャッター動作フレーム周波数に応じた表示制御
いままでは、３次元対応のディジタル・テレビに同じメーカー製のシャッター眼鏡を同梱し、同じメーカー同士の製品しか互換性を保証しないのが一般的であった。これは、３次元対応ディジタル・テレビがＩＲ方式など一方向通信によりシャッター眼鏡を制御しているため、シャッター眼鏡の固有情報をリアルタイムで取得することができないことにも依拠する。すなわち、３次元対応ディジタル・テレビは、既知のデータに合わせ込んでシャッター眼鏡を制御するしかなく、純正品以外の互換性を保証するのは困難である。
【０１０８】
現在、無線を利用した双方向通信によるシャッター眼鏡の制御方式について、標準化活動が進められている。規格化の後は、異なるメーカーによる複数のシャッター眼鏡が同時に１台の３次元対応ディジタル・テレビに接続されるようになる。このとき、異なるメーカー間で対応しているシャッター動作フレーム周波数が一致しない場合、３次元対応ディジタル・テレビは、放送コンテンツで用いられるフレーム周波数（５０Ｈｚ又は６０Ｈｚ）でシャッター眼鏡を制御しなければならない。表示されるコンテンツが放送コンテンツの場合は、この制御で問題は生じない、ところが、図１Ｂに示したように、映画コンテンツを再生する３次元対応ＢＤプレイヤー１４がＨＤＭＩなどのディジタル・インターフェースを経由して３次元対応ディジタル・テレビに接続されたシステムでは、異なるメーカーのシャッター眼鏡の動作フレーム周波数が分からないという制約から、本来は２４Ｈｚで表示したい映画コンテンツを、５０Ｈｚ又は６０Ｈｚに２−３プルダウンして表示することになる。このため、映画コンテンツが本来持つ映像表現ができなくなるという問題がある。また、２−３プルダウン処理をＢＤプレイヤーで行なうのか、ディジタル・テレビ側で行なうのかが定まっていない。
【０１０９】
そこで、本実施形態では、無線通信機能を搭載したシャッター眼鏡１３から表示装置１１へ、シャッター眼鏡１３が対応しているシャッター動作フレーム周波数の情報を伝送することで、このような問題を解決するようにしている。
【０１１０】
シャッター眼鏡１３から表示装置１１へ送信するＤＭ１パケット（Ａｓｓｏｃｉａｔｉｏｎ  Ｎｏｔｉｆｉｃａｔｉｏｎ  Ｐａｃｋｅｔ）Ｖｅｎｄｏｒ  Ｓｐｅｃｉｆｉｃ  Ｄａｔａフィールドの第６バイト目のＦｒａｍｅ  Ｆｒｅｑｕｅｎｃｙフィールドには、シャッター動作フレーム周波数の対応を示すデータを記載する。具体的には、図４Ｄに示したように、第１ビットから第５ビットまでの各ビットに、シャッター眼鏡１３が対応しているシャッター動作フレーム周波数それぞれのビットを「１」にする。例えば、このＦｒａｍｅ  Ｆｒｅｑｕｅｎｃｙフィールドに“１１１１００００”と記載されていれば、このパケット送信元のシャッター眼鏡１３は、４８Ｈｚ、５０Ｈｚ、６０Ｈｚ、７２Ｈｚのシャッター動作フレーム周波数に対応しており、９６Ｈｚには対応していないことを示す。したがって、表示装置１１は、Ｆｒａｍｅ  Ｆｒｅｑｕｅｎｃｙフィールドに記載されている値に基づいて、自セル内に複数存在するシャッター眼鏡１３Ａ…がそれぞれ対応するシャッター動作フレーム周波数を取得することができる。複数のシャッター眼鏡１３Ａ…で映画コンテンツを視聴する場合、表示装置１１がすべてのシャッター眼鏡１３Ａ…で共通の最高フレーム周波数で液晶表示パネル１３４を駆動すれば、各シャッター眼鏡１３Ａ…で良好な３次元映像を楽しむことができる。
【０１１１】
図１１には、表示装置１１がシャッター眼鏡１３からシャッター動作フレーム周波数の情報を取得したことに応じて実行する処理動作をフローチャートの形式で示している。
【０１１２】
表示装置１１は、３次元映像を表示しようとするとき、Ｂｌｕｅｔｏｏｔｈ通信でリンクが確立している各シャッター眼鏡１３Ａ…から、対応しているシャッター動作フレーム周波数の情報を取得する（ステップＳ１１０１）。
【０１１３】
次いで、表示装置１１は、表示しようとしている３次元映像が、映画コンテンツなどの２４Ｈｚ映像かどうかをチェックする（ステップＳ１１０２）。
【０１１４】
ここで、表示しようとしている３次元映像が２４Ｈｚ映像でないときには（ステップＳ１１０２のＮｏ）、表示装置１１は、３次元映像が放送コンテンツなどの５０Ｈｚ又は６０Ｈｚのコンテンツと判断して、映像の駆動フレーム周波数を５０Ｈｚ／６０Ｈｚに設定する（ステップＳ１１０３）。
【０１１５】
一方、表示しようとしている３次元映像が２４Ｈｚ映像であるときには（ステップＳ１１０２のＹｅｓ）、表示装置１１は、ステップＳ１１０１で各シャッター眼鏡１３Ａ…から取得したシャッター動作フレーム周波数の情報から、共通する最大フレーム周波数を計算する（ステップＳ１１０４）。そして、計算された最大フレーム周波数が９６Ｈｚかどうかをチェックする（ステップＳ１１０５）。
【０１１６】
最大フレーム周波数が９６Ｈｚの場合（ステップＳ１１０５のＹｅｓ）、表示装置１１では、３次元映像の駆動フレーム周波数を９６Ｈｚに設定する（ステップＳ１１０６）。
【０１１７】
最大フレーム周波数が９６Ｈｚでない場合（ステップＳ１１０５のＮｏ）、表示装置１１は、計算された最大フレーム周波数が７２Ｈｚかどうかをさらにチェックする（ステップＳ１１０７）。
【０１１８】
最大フレーム周波数が７２Ｈｚの場合（ステップＳ１１０７のＹｅｓ）、表示装置１１では、３次元映像の駆動フレーム周波数を７２Ｈｚに設定する（ステップＳ１１０８）。
【０１１９】
最大フレーム周波数が７２Ｈｚでない場合（ステップＳ１１０７のＮｏ）、表示装置１１は、計算された最大フレーム周波数が４８Ｈｚかどうかをさらにチェックする（ステップＳ１１０９）。
【０１２０】
最大フレーム周波数が４８Ｈｚの場合（ステップＳ１１０９のＹｅｓ）、表示装置１１では、３次元映像の駆動フレーム周波数を４８Ｈｚに設定する（ステップＳ１１１０）。
【０１２１】
また、最大フレーム周波数が４８Ｈｚでない場合（ステップＳ１１０９のＮｏ）、表示装置１１は、３次元映像が放送コンテンツなどの５０Ｈｚ又は６０Ｈｚのコンテンツと判断して、３次元映像の駆動フレーム周波数を５０Ｈｚ／６０Ｈｚに設定する（ステップＳ１１０３）。
【０１２２】
上記のようにして３次元映像の駆動フレーム周波数を設定し終えると、表示装置１１は、そのフレーム周波数で液晶表示パネル１３４を駆動して、３次元映像を表示する（ステップＳ１１１１）。
【０１２３】
表３には、シャッター眼鏡１３Ａ…で共通する最大フレーム周波数が７２Ｈｚの場合を例にとって、図１Ｂに示した映像表示システムにおいて処理される映像フレーム周波数の変換を表している。但し、ＢＤプレイヤー１４側では、映画コンテンツなどのフレーム周波数が２４Ｈｚのコンテンツを再生するものとする。
【０１２４】
【表３】
2013081149.tif 000005
【０１２５】
表示装置１１がシャッター眼鏡１１の動作フレーム周波数の情報を取得できないシステムでは（表３中の「従来方式」）、まずＢＤプレイヤー１４が表示装置１１に記憶されているＨＤＭＩ  ＥＤＩＤを読み出して、伝送可能な映像フォーマットを認識する。３次元映像フォーマットの場合、２４Ｈｚ／５０Ｈｚ／６０ＨｚのフォーマットがＨＤＭＩ  ｖ１．４ａ規格で規定されており、表示装置１１が対応している３次元映像フォーマットに応じてＥＤＩＤのＶｅｎｄｏｒ  Ｓｐｅｃｉｆｉｃフィールドのデータを設定する。ＢＤプレイヤーは、このＥＤＩＤを読み出して、ＨＤＭＩインターフェースに出力する映像フォーマットを決定するが、２４Ｈｚの映像コンテンツの場合も、ＢＤプレイヤーの実装により５０／６０Ｈｚに２−３プルダウンして出力する製品も存在する。
【０１２６】
ＢＤプレイヤー１４で２−３プルダウンしてから出力された３次元映像は、表示装置１１内で、５０Ｈｚ／６０Ｈｚから７２Ｈｚへ、再度のフレーム周波数変換が行なわれる。そして、シャッター眼鏡１３を装着したユーザーには７２Ｈｚの映像として視聴される。
【０１２７】
このような従来方式では、ＢＤプレイヤー１４及び表示装置１１において合計２回のフレーム周波数変換処理が行なわれるため、映像の劣化が生じ、３次元効果を低下させる原因にもなる。
【０１２８】
これに対し、本実施形態では、図１Ｂに示した映像表示システムにおいて、映像フレーム周波数の変換処理回数を抑えて、最適な３次元映像を提供するようにしている。このため、表示装置１１に記憶するＨＤＭＩ  ＥＤＩＤで２４Ｈｚの映像フレーム周波数の変換処理を抑制する情報（以下では、「２４Ｈｚ強制出力フラグ」と呼ぶ）を書き込んでおき、このＨＤＭＩ  ＥＤＩＤを読み出したＢＤプレイヤー１４が映画コンテンツなどのフレーム周波数が２４Ｈｚの映像を、周波数変換せずに出力させる。
【０１２９】
図１２には、２４Ｈｚ強制出力フラグを含むＨＤＭＩ  ＥＤＩＤのデータ構造を示している。表示装置１１が３次元映像フォーマットに対応している場合、第１３バイト以降のフィールドに、対応する３次元映像フォーマットのデータが記載される。大１３バイトの第２番目のＲｅｓｅｒｖｅビットを２４Ｈｚ強制出力フラグとして定義する。
【０１３０】
表示装置１１は、２４／４８／７２／９６Ｈｚに対応するシャッター眼鏡１３がＢｌｕｅｔｏｏｔｈ通信のＰａｉｒｉｎｇで検出された場合、この２４Ｈｚ強制出力フラグを「１」に設定して、ＢＤプレイヤー１４が出力する映像フォーマットを２４ｈＺに固定させる。
【０１３１】
この２４Ｈｚ強制出力フラグにより、表３に示したように、ＢＤプレイヤー１４からは２４Ｈｚの映像フォーマットが出力される。そして、表示装置１１では、図１１に示した処理手順に従い、Ｐａｉｒｉｎｇで検出されたすべてのシャッター眼鏡１３Ａ…で共通する最大シャッター動作フレーム周波数に応じて、２４Ｈｚから４８Ｈｚ／７２Ｈｚ／９６Ｈｚへのフレーム周波数変換を１回だけ行なうという、必要最低限の信号処理で所望の映像フォーマットに変換することになり、映像の劣化が最低限に抑えられる。
【０１３２】
図１３には、表示装置１１においてＨＤＭＩ  ＥＤＩＤに２４Ｈｚ強制出力フラグを設定する処理手順をフローチャートの形式で示している。
【０１３３】
表示装置１１は、Ｂｌｕｅｔｏｏｔｈ通信で接続された各シャッター眼鏡１３Ａ…から、対応しているシャッター動作フレーム周波数の情報を取得する（ステップＳ１３０１）。
【０１３４】
そして、表示装置１１は、取得した情報から、映画コンテンツに最適な４８／７２／９６Ｈｚのシャッター動作フレーム周波数にすべてのシャッター眼鏡１３Ａ…が対応しているかどうかをチェックする（ステップＳ１３０２）。
【０１３５】
ここで、すべてのシャッター眼鏡１３Ａ…が４８／７２／９６Ｈｚのシャッター動作フレーム周波数に対応しているときには（ステップＳ１３０２のＹｅｓ）、図１２に示したＨＤＭＩ  ＥＤＩＤの２４Ｈｚ強制出力フラグを「１」に設定する（ステップＳ１３０４）。
【０１３６】
一方、少なくとも一部のシャッター眼鏡がシャッター動作フレーム周波数に対応していないときには（ステップＳ１３０２のＮｏ）、図１２に示したＨＤＭＩ  ＥＤＩＤの２４Ｈｚ強制出力フラグを「０」に設定する（ステップＳ１３０３）。
【０１３７】
また、図１４には、ＢＤプレイヤー１４において、ＨＤＭＩ接続された表示装置１１側の２４Ｈｚ強制出力フラグの設定に応じて映像を出力する処理手順をフローチャートの形式で示している。
【０１３８】
ＢＤプレイヤー１４は、表示装置１１からＥＤＩＤ情報を取得する（ステップＳ１４０１）。そして、取得した情報の中で２４Ｈｚ強制出力フラグが「１」かどうかをチェックする（ステップＳ１４０２）。
【０１３９】
ここで、２４Ｈｚ強制出力フラグが「０」の場合には（ステップＳ１４０２のＮｏ）、ＢＤプレイヤー１４は、設定された映像出力方式に準じてＢＤから再生した映像コンテンツを出力する（ステップＳ１４０５）。
【０１４０】
一方、２４Ｈｚ強制出力フラグが「１」の場合には（ステップＳ１４０２のＹｅｓ）、ＢＤプレイヤー１４は、次いで、ＢＤから再生する映像コンテンツが２４Ｈｚかどうかをチェックする（ステップＳ１４０３）。
【０１４１】
そして、ＢＤプレイヤー１４は、映像コンテンツが２４Ｈｚのときには（ステップＳ１４０３のＹｅｓ）、２−３プルダウンなどの処理を行わず、２４Ｈｚのまま強制的に出力し、２４Ｈｚ以外のときには（ステップＳ１４０３のＮｏ）、２４Ｈｚ強制出力フラグが「０」の場合と同様の処理を実行する（ステップＳ１４０５）。
【０１４２】
なお、本明細書の開示の技術は、以下のような構成をとることも可能である。
（１）所定の色成分毎の応答特性で開閉動作するシャッター・レンズと、表示装置と通信する通信部を具備し、前記シャッター・レンズの色成分毎の応答特性を前記通信部から前記表示装置へ送信する、シャッター眼鏡装置。
（２）前記シャッター・レンズの色成分毎の応答特性は、各色成分の応答遅延時間を含む、上記（１）に記載のシャッター眼鏡装置。
（３）前記シャッター・レンズの色成分毎の応答特性は、各色成分の立ち上がり時間を含む、上記（１）に記載のシャッター眼鏡装置。
（４）前記シャッター・レンズの色成分毎の応答特性は、色成分毎の応答特性の相違が小さいときには、ホワイト・バランス成分についての応答特性を含む、上記（１）に記載のシャッター眼鏡装置。
（５）前記通信部は、Ｂｌｕｅｔｏｏｔｈ通信により前記表示装置と通信する、上記（１）に記載のシャッター眼鏡装置。
（６）前記シャッター・レンズの色成分毎の応答特性に関する情報を、ＤＭパケットのペイロード内の装置ベンダーに割り当てられた領域に記載して送信する、上記（５）に記載のシャッター眼鏡装置。
（７）所定の色成分毎の応答特性で開閉動作するシャッター・レンズと、表示装置と通信する通信部を備え、前記シャッター・レンズの色成分毎の応答特性を前記通信部から送信するシャッター眼鏡装置と、複数の映像を時分割で表示し、前記シャッター眼鏡装置から受信した前記シャッター・レンズの色成分毎の応答特性に基づいて前記映像の色補正を行なう表示装置と、を具備する映像表示システム。
（８）所定の種別に応じた充放電特性を持つバッテリーと、前記バッテリーの出力端子電圧を検出する端子電圧検出部と、開閉動作するシャッター・レンズと、表示装置と通信する通信部を具備し、前記端子電圧検出部の検出値に基づく残留バッテリー電圧情報と前記バッテリーの種別に関する情報を前記通信部から前記表示装置へ送信する、シャッター眼鏡装置。
（９）さらに前記バッテリーの充放電特性に関する情報を前記通信部から前記表示装置へ送信する、上記（８）に記載のシャッター眼鏡装置。
（１０）さらに前記バッテリーの放電の開始電圧及び終止電圧に関する情報を前記通信部から前記表示装置へ送信する、上記（８）に記載のシャッター眼鏡装置。
（１１）前記通信部は、Ｂｌｕｅｔｏｏｔｈ通信により前記表示装置と通信する、上記（８）に記載のシャッター眼鏡装置。
（１２）前記のバッテリーに関する情報を、ＤＭパケットのペイロード内の装置ベンダーに割り当てられた領域に記載して送信する、上記（１１）に記載のシャッター眼鏡装置。
（１３）所定の種別に応じた充放電特性を持つバッテリーと、前記バッテリーの出力端子電圧を検出する端子電圧検出部と、開閉動作するシャッター・レンズと、表示装置と通信する通信部を備え、前記端子電圧検出部の検出値に基づく残留バッテリー電圧情報と前記バッテリーの種別に関する情報を前記通信部から前記表示装置へ送信するシャッター眼鏡装置と、
複数の映像を時分割で表示するとともに、前記シャッター眼鏡装置から受信した情報に基づいて前記バッテリーの残存容量に関する情報を表示する表示装置と、
を具備する映像表示システム。
（１４）前記表示装置は、バッテリーの種別毎の充電開始電圧及び充電終止電圧に関する情報を保持する記憶部をさらに備え、前記シャッター眼鏡装置から受信した前記バッテリーの種別に該当する充電開始電圧及び充電終止電圧を前記記憶部から読み出し、受信したに基づく残留バッテリー電圧情報を用いて計算した前記バッテリーの残時間を表示する、上記（１３）に記載の表示装置。
（１５）１以上のシャッター動作フレーム周波数に対応して開閉動作するシャッター・レンズと、表示装置と通信する通信部を具備し、前記対応するシャッター動作フレーム周波数の情報を前記通信部から前記表示装置へ送信する、シャッター眼鏡装置。
（１６）前記通信部は、Ｂｌｕｅｔｏｏｔｈ通信により前記表示装置と通信する、上記（１５）に記載のシャッター眼鏡装置。
（１７）前記対応するシャッター動作フレーム周波数の情報を、ＤＭパケットのペイロード内の装置ベンダーに割り当てられた領域に記載して送信する、上記（１６）に記載のシャッター眼鏡装置。
（１８）１以上のシャッター動作フレーム周波数に対応して開閉動作するシャッター・レンズと、表示装置と通信する通信部を具備し、前記対応するシャッター動作フレーム周波数の情報を前記通信部から前記表示装置へ送信するシャッター眼鏡装置と、複数の映像を時分割で表示し、前記シャッター眼鏡装置から受信したシャッター動作フレーム周波数の情報に基づいて前記時分割で表示する映像の駆動フレーム周波数を設定する表示装置と、を具備する映像表示システム。
（１９）複数のシャッター眼鏡装置が存在し、前記表示装置は、前記複数のシャッター眼鏡装置に共通する最大のシャッター動作フレーム周波数に基づいて、前記時分割で表示する映像の駆動フレーム周波数を設定する、上記（１８）に記載の映像表示システム。
（２０）所定のインターフェース経由で前記表示装置に接続され、前記時分割で表示する映像を再生して前記表示装置に供給する映像再生装置をさらに備える、上記（１８）に記載の映像表示システム。
（２１）前記映像再生装置は、所定フレーム周波数の映像を再生し、前記表示装置は、前記シャッター眼鏡装置から受信したシャッター動作フレーム周波数の情報に基づいて、前記映像再生装置における再生映像の周波数変換処理を前記所定のインターフェースにより制御する、上記（２０）に記載の映像表示システム。
【産業上の利用可能性】
【０１４３】
以上、特定の実施形態を参照しながら、本明細書で開示する技術について詳細に説明してきた。しかしながら、本明細書で開示する技術の要旨を逸脱しない範囲で当業者が該実施形態の修正や代用を成し得ることは自明である。
【０１４４】
本明細書では、ＳＴＮ液晶やＴＮ液晶をシャッター素子に用いた実施形態を中心に説明してきたが、本明細書で開示する技術の要旨はこれに限定されるものではない。また、シャッター眼鏡と表示装置間の通信には、Ｂｌｕｅｔｏｏｔｈ通信やＷｉ−Ｆｉ、ＩＥＥＥ８０２．１５．４などの、電波通信によるワイヤレス・ネットワーク、赤外線通信、あるいは有線通信を用いることができる。
【０１４５】
要するに、例示という形態により本明細書で開示する技術について説明してきたのであり、本明細書の記載内容を限定的に解釈するべきではない。本明細書で開示する技術の要旨を判断するためには、特許請求の範囲を参酌すべきである。
【符号の説明】
【０１４６】
１１…表示装置
１３…シャッター眼鏡
１４…ＢＤプレイヤー
１２０…左右映像信号処理部
１２４…通信部
１２６…タイミング制御部
１３０…ゲート・ドライバー
１３２…データ・ドライバー
１３４…液晶表示パネル
３０１…無線通信部
３０２…制御部
３０３…電圧発生部
３０４…タイミング生成部
３０５…液晶駆動部
３０６…記憶部
３０７…ＬＥＤインジケーター
３０８…左眼用シャッター・レンズ
３０９…右眼用シャッター・レンズ
３１０…バッテリー
３１１…充放電制御部
３１２…端子電圧検出部
【図１Ａ】
2013081149.tif 000006
【図３】
2013081149.tif 000007
【図４Ａ】
2013081149.tif 000008
【図４Ｂ】
2013081149.tif 000009
【図４Ｃ】
2013081149.tif 000010
【図４Ｄ】
2013081149.tif 000011
【図４Ｅ】
2013081149.tif 000012
【図５Ａ】
2013081149.tif 000013
【図５Ｂ】
2013081149.tif 000014
【図５Ｃ】
2013081149.tif 000015
【図７Ａ】
2013081149.tif 000016
【図７Ｂ】
2013081149.tif 000017
【図８Ａ】
2013081149.tif 000018
【図８Ｂ】
2013081149.tif 000019
【図８Ｃ】
2013081149.tif 000020
【図８Ｄ】
2013081149.tif 000021
【図９Ａ】
2013081149.tif 000022
【図９Ｂ】
2013081149.tif 000023
【図１０Ａ】
2013081149.tif 000024
【図１０Ｂ】
2013081149.tif 000025
【図１１】
2013081149.tif 000026
【図１３】
2013081149.tif 000027
【図１４】
2013081149.tif 000028
【図１Ｂ】
2013081149.tif 000029
【図２Ａ】
2013081149.tif 000030
【図２Ｂ】
2013081149.tif 000031
【図６】
2013081149.tif 000032
【図１２】
2013081149.tif 000033